(57)【要約】    【課題】  皮膚の敏感な病人や老人にも快適に履くことのできる靴下を提供する。    【解決手段】  筒状の両端が開口されてその一端部が履口部(30)とされ、側面略く字形状をなしてその曲成外側部分が踵を覆う踵部(34)となった靴下であって、連続した筒状に編成されて折り返されることにより靴下外層(10)及び靴下内層(20)の二重構造に構成され、靴下外層及び靴下内層の踵部を除く部分は１本以上の表糸をパイル編みのシンカー乗せ編み又は平編みのシンカー乗せ編みにて編成されるとともに、裏糸としてゴム糸又はカバリーングヤーンをコース方向に１目ないし３目飛ばしながら編み込まれる一方、靴下外層及び靴下内層の踵部は平編みにて編成されている。【選択図】  図２
2006283258.tif 000002
【特許請求の範囲】
【請求項１】
筒状の両端が開口されてその一端部が履口部とされ、側面略く字形状をなしてその曲成外側部分が踵を覆う踵部となった靴下であって、
連続した筒状に編成されて折り返されることにより靴下外層及び靴下内層の二重構造に構成され、
上記靴下外層及び靴下内層の踵部を除く部分は１本以上の表糸をパイル編みのシンカー乗せ編み又は平編みのシンカー乗せ編みにて編成されるとともに、裏糸としてゴム糸又はカバリーングヤーンをコース方向に１目ないし３目飛ばしながら編み込まれる一方、上記靴下外層及び靴下内層の踵部は平編みにて編成されていることを特徴とする靴下。
【請求項２】
上記靴下外層及び靴下内層はその他端開口が踵の直前方、土踏まず又は爪先直後方に位置するような寸法となっている請求項１記載の靴下。
【請求項３】
上記靴下外層及び靴下内層はその履口部が足首直上、ふくらはぎ、膝、膝直下又は膝直上に位置するような寸法となっている請求項１記載の靴下。
【請求項４】
爪先部、足甲部、底部、踵部、レッグ部及び履口部からなる靴下において、
連続した筒状に編成されて折り返されることにより靴下外層及び靴下内層の二重構造となし、
上記靴下外層及び靴下内層の足甲部、レッグ部及び履口部は１本以上の表糸を平編みのシンカー乗せ編みにて編成されるとともに、裏糸としてゴム糸又はカバリーングヤーンをコース方向に１目ないし３目飛ばしながら編み込まれる一方、上記靴下外層及び靴下内層の踵部は平編みにて編成されていることを特徴とする靴下。
【請求項５】
上記靴下外層及び靴下内層の爪先部は１本以上の表糸を平編みのシンカー乗せ編みにて編成されるとともに、裏糸としてゴム糸又はカバリーングヤーンをコース方向に１目ないし３目飛ばしながら編み込んで構成されている請求項４記載の靴下。
【発明の詳細な説明】
【技術分野】
【０００１】
この発明は靴下に関し、特に皮膚の敏感な病人や老人にも快適に履くことができるようにした靴下に関する。
【背景技術】
【０００２】
一般的な靴下では図１１に示されるように、レッグ部３１、足甲部３２、底部３３、爪先部３５及び踵部３４についてはその裏糸のカバリーングヤーン、具体的にはナイロン巻ポリウレタンの適度な伸縮弾性により、靴下を履いた人の脚や足にフィットさせる一方、履口部３０については更にゴム糸を編み込み、ゴム糸の大きな伸縮弾性によって靴下のずり落ちを防止するようにしている（特許文献１、特許文献２）。
【０００３】
しかし、上述の靴下では履口部３０又は靴下全体の伸縮弾性を大きくして靴下のずれを確実に防止しようとすると、履口の部位や足全体がきつく締め付けられ、長時間にわたって履いていると苦痛を感じる一方、履口部３０又は靴下全体の伸縮弾性を小さくすると、窮屈感は解消されるが、靴下がフィットせず、ずれが発生しやすい。
【０００４】
これに対し、本件出願人は、連続した筒状に編成されて折り返されることにより靴下外層及び凸した内層の二重構造となし、靴下外層及び靴下内層の少なくとも足甲部、底部、レッグ部及び履口部は１本以上の表糸をパイル編みのシンカー乗せ編みにて編成するとともに、裏糸としてゴム糸又はカバリーングヤーンをコース方向に１目ないし３目飛ばしながら編み込む一方、靴下外層及び靴下内層の踵部は平編みにて編成するようにした靴下を開発し提案するに至った（特許文献３）。
【０００５】
この靴下は健常者にはふんわりと包み込んで窮屈な装着感や苦痛感を感じることがなく、又足にピッタリとフィットし、非常に履き心地のよい靴下であることが分かった。
【０００６】
【特許文献１】特開平１０−１６８６０５号公報
【特許文献２】特開平１０−１５８９０３号公報
【特許文献３】特開２００２−３８３０４た号公報
【発明の開示】
【発明が解決しようとする課題】
【０００７】
しかし、上記特許文献３記載の靴下は皮膚の感覚の敏感な病人や老人にとっては依然として圧迫感を感じる部分があることが分かった。
【０００８】
本発明はかかる点に鑑み、皮膚の敏感な病人や老人にも快適に履くことができるようにすることを課題とする。
【課題を解決するための手段】
【０００９】
そこで、本発明に係る靴下は、筒状の両端が開口されてその一端部が履口部とされ、側面略く字形状をなしてその曲成外側部分が踵を覆う踵部となった靴下であって、連続した筒状に編成されて折り返されることにより靴下外層及び靴下内層の二重構造に構成され、上記靴下外層及び靴下内層の踵部を除く部分は１本以上の表糸をパイル編みのシンカー乗せ編み又は平編みのシンカー乗せ編みにて編成されるとともに、裏糸としてゴム糸又はカバリーングヤーンをコース方向に１目ないし３目飛ばしながら編み込まれる一方、上記靴下外層及び靴下内層の踵部は平編みにて編成されていることを特徴とする。
【００１０】
足の立体的な形状を観察すると、同じ大きさの足であっても甲高で幅広、甲高で幅狭、甲低で幅広、甲低で幅狭などさまざまな形状が存在し、しかも甲高や甲低、幅広や幅狭といってもその程度が人によって異なっている。したがって、上記特許文献３記載の編み方をした靴下で編んでも足の寸法によって靴下の大きさを規定すると、装着感が異なり、病人や老人など皮膚の感覚が敏感な人には依然として圧迫感があったものと考えられる。
【００１１】
他方、靴下の基本的な機能は爪先から足首（あるいは下脚）までの部分を覆って保護し保温するというものであり、それゆえに略く字状に構成されているが、足の踵と足首の部分を靴下で覆えば足の保護と保温という機能をほぼ達成できる。なお、本件出願人は１本以上の表糸をパイル編みのシンカー乗せ編みにて編成し、裏糸としてゴム糸又はカバリーングヤーンをコース方向に１目ないし３目飛ばしながら編み込み、脚のレッグ部分をカバーする筒状サポータを開発し提案している（特願２００４−１７５４９４号）
【００１２】
本発明の特徴の１つは靴下を側面略く字状の筒状となし、足の爪先、甲及び足裏、又は足の爪先、甲及び土踏まずを靴下の先端から突き出させるようにした点にある。
【００１３】
これにより、皮膚の感覚の敏感な病人や老人が靴下によって感じる圧迫感を確実に解消できる。また、足先を骨折した人の場合、靴下の爪先が閉じていると、治療用石膏などに起因して非常に履き難いが、上述のように両端の開口した筒状とすると、足先に石膏があっても軽く履くことができる。
【００１４】
パイル編みのシンカー乗せ編みによる編み生地は伸縮弾性が小さく、伸びがパイル編みや平編みに比して２倍〜３倍以上にもなるが、編み生地を二重構造にすると、その大きな伸び特性はほとんど損なわれず、しかも全体として適度な伸縮弾性、従って適度な締め付け力を得ることができる。
【００１５】
また、パイル編みのシンカー乗せ編みに代え、平編みのシンカー乗せ編みを採用しても、パイル編みのシンカー乗せ編みと同様に、大きな伸び特性と適度な伸縮弾性が得られることが分かった。但し、平編みのシンカー乗せ編みの場合には編み針の数をパイル編みのシンカー乗せ編みの場合に比して多くする必要がある。例えば、パイル編みのシンカー乗せ編みの場合に編み針を１４０とすると、平編みのシンカー乗せ編みの場合には編み針を１６０程度にする必要がある。
【００１６】
本発明の他の特徴は靴下外層と靴下内層の二重構造とし、しかも内外層の表糸をパイル編みのシンカー乗せ編み又は平編みのシンカー乗せ編みとするようにした点にある。これにより、大きな伸び特性と適度の締め付け力とによって身体、例えば足や脚、手をふんわりと包み込むような快い着用感が得られ、同時に適度の締め付け力によって筒状編成体がずり落ちるのを確実に防止できる。
【００１７】
その結果、履口部にゴム糸を編み込んで履口部の締め付け力を大きくする必要はなく、履口の部位がきつく食い込んで苦痛を感じることもなくなる。なお、履口部は必要に応じて適度な伸縮弾性のゴム糸を編み込むこともできる。
【００１８】
また、パイル編みのシンカー乗せ編み又は平編みのシンカー乗せ編みによる大きな伸び特性により、小さな力で靴下の全体が大きく伸びるので、手足の筋力が弱った老人や病人にも容易に履くことができ、又脱ぐ時にも簡単に脱ぐことができる。
【００１９】
靴下には足の踵から荷重が最も加わりやすく、靴下全体をパイル編みのシンカー乗せ編みや平編みのシンカー乗せ編みの二重構造にすると、踵部から加わった荷重に起因して靴下外層が靴下内層に対して前方にずれやすく、靴下に皺がよって脱げてしまいやすい。
【００２０】
本発明のさらに他の特徴は踵部に平編みを採用するようにした点にある。これにより、平編みによる編み生地では二重に重ねた部位に荷重を作用させても相互のずれはパイル編みのシンカー乗せ編みや平編みのシンカー乗せ編みの場合に比して小さく靴下の着用中に靴下外層が靴下内層に対して前方にずれることは少なくできる。
【００２１】
圧迫感を確実に解消する上で、筒状先端開口の位置を足の立体的形状や石膏の大きさなどに応じて適宜変えるのがよい。即ち、靴下外層及び靴下内層はその他端開口が踵の直前方、土踏まず又は爪先直後方に位置するような寸法となっているのが好ましい。
【００２２】
また、靴下の履口部の高さは足首から膝上までの間で任意に選択できる。即ち、靴下外層及び靴下内層はその履口部が足首直上、ふくらはぎ、膝、膝直下又は膝直上に位置するような寸法とすることができる。
【００２３】
また、ゴム糸又はカバリーングヤーンをパイル編みのシンカー乗せ編み又は平編みのシンカー乗せ編みにおいて裏糸としてコース方向に１目ないし３目飛ばしながら編み込むようにしたのは、適度な伸縮弾性を確保するためであり、３目以上になると、伸縮弾性が小さくなり過ぎて使用に耐えないおそれがある。
【００２４】
本発明では特に編み糸の材質については限定されず、綿糸、綿アクリル混紡糸、毛糸、毛アクリル混紡糸、絹糸、絹アクリル混紡糸等を用いることができるが、外層の編み糸を綿糸、内層の編み糸を絹糸とすると、綿糸による優れた吸湿性と、絹糸による優れた吸湿・吸熱性とにより、夏期には着用していて涼しく、又二重構造をなす外層と内層との間には空気による断熱層が構成され、冬期には着用していて暖かい、という優れた着用感が得られる。
【００２５】
また、平編みのシンカー乗せ編みと裏糸をコース方向に１目ないし３目飛ばしながら編み込む編み組織は通常の靴下に適用すると、健常者にはふんわりと包み込んで窮屈な装着感や苦痛感を感じることがなく、又足にピッタリとフィットし、非常に履き心地のよい靴下となる。
【００２６】
そこで、本発明に係る靴下は、爪先部、足甲部、底部、踵部、レッグ部及び履口部からなる靴下において、連続した筒状に編成されて折り返されることにより靴下外層及び靴下内層の二重構造となし、上記靴下外層及び靴下内層の足甲部、レッグ部及び履口部は１本以上の表糸を平編みのシンカー乗せ編みにて編成されるとともに、裏糸としてゴム糸又はカバリーングヤーンをコース方向に１目ないし３目飛ばしながら編み込まれる一方、上記靴下外層及び靴下内層の踵部は平編みにて編成されていることを特徴とする。
【００２７】
この場合、靴下外層及び靴下内層の爪先部は他の部位と同様に１本以上の表糸を平編みのシンカー乗せ編みにて編成されるとともに、裏糸としてゴム糸又はカバリーングヤーンをコース方向に１目ないし３目飛ばしながら編み込んで構成してもよく、あるいは平編みに編成してもよい。
【発明を実施するための最良の形態】
【００２８】
以下、本発明を図面に示す具体例に基づいて詳細に説明する。図１ないし図３は本発明に係る靴下の好ましい実施形態を示す。図１ないし図３に示されるように、靴下は靴下外層１０と靴下内層２０の二重構造をなし、その先端側の靴下外層１０の開口と靴下内層２０の開口とは相互に縫合され、又靴下外層１０及び靴下内層２０はともに履口部３０、レッグ部３１、足甲部３２、底部３３及び踵部３４から構成されている。
【００２９】
また、靴下外層１０の履口部３０、レッグ部３１、足甲部３２及び底部３３は表糸として１本ないし２本の５番ないし１５番の綿糸を用い、パイル編みのシンカー乗せ編みにて編成されるとともに、裏糸として１本の９０番ないし１００番のゴム糸を用いて１目ないし３目飛ばしで編み込まれている。
【００３０】
また、靴下外層１０の踵部３４は表糸として１本ないし２本の５番ないし１５番の綿糸を用いて平編みにて編成されている。
【００３１】
他方、靴下内層２０の履口部３０、レッグ部３１、足甲部３２及び底部３３は表糸として１本ないし２本の５番ないし１５番の絹糸を用い、パイル編みのシンカー乗せ編みにて編成されるとともに、裏糸として１本の９０番又は１００番のゴム糸を用いて１目ないし３目飛ばしで編み込まれている。
【００３２】
また、靴下内層２０の踵部３４は表糸として１本ないし２本の５番ないし１５番の絹糸を用いて平編みにて編成されている。
【００３３】
ここで、本例におけるパイル編みのシンカー乗せ編みを説明すると、図４に示されるように、パイル編みにおける裏糸４１を表糸４０と同様にシンカー５０の頭５１に乗せて編む方法であって、この場合には両糸４０、４１とも表糸となり、ゴム糸４４が裏糸の代わりをすることとなる。
【００３４】
他方、パイル編みを説明すると、表糸４０はシンカー５０の頭５１に乗せ、裏糸４１は乗せずに編成する一方、ゴム糸４４はシンカー５０の頭に乗せずにコース方向に適当な目数飛ばしながら編み込んでいる。従って、パイル４３の高さは図４の(a) における高さｔによって決まる。
【００３５】
従って、シンカー乗せ編みではパイル編みのようなパイルはできないが、伸縮弾性が小さく、パイル編みと同じ大きさでありながら、伸びが２倍ないし３倍と大きく、締付けが小さくなる。
【００３６】
本例の靴下を製造する場合、靴下編み機を用い、靴下外層１０及び靴下内層２０をその履口部３０、レッグ部３１、足甲部３２及び底部３３がパイル編みのシンカー乗せ編み、踵部３５が平編みとなるようにして１本の筒状に編成する。得られた筒状編成体は２つに折り返すとともに、靴下外層１０及び靴下内層２０の先端の開放部分を同時に縫合すると、本例の靴下が得られる。
【００３７】
本例の靴下では足の爪先、甲及び足裏及び土踏まずを靴下の先端から突き出させるようにしたので、足先は全く自由となり、皮膚の感覚の敏感な病人や老人が靴下によって感じる圧迫感を確実に解消できる。
【００３８】
また、足先を骨折した人の場合、靴下の爪先が閉じていると、治療用石膏などに起因して非常に履き難いが、靴下の両端が開口しているので、足先に石膏があっても軽く履くことができる。
【００３９】
本例の靴下では靴下を外層１０と内層２０の二重構造とし、履口部３０、レッグ部３１、足甲部３２及び底部３３をパイル編みのシンカー乗せ編みとしているので、パイル編みのシンカー乗せ編みの特性である大きな伸びと適度の締め付け力とを得ることができ、靴下を履くと足や脚をふんわりと覆うような快い装着感が得られる。
【００４０】
また、適度の締め付け力とによって靴下がずり落ちるのを確実に防止でき、履口部３０にゴム糸を編み込んで履口部３０の締め付け力を大きくする必要はなくなり、靴下履口の不快な食い込み感を解消できる。
【００４１】
また、パイル編みのシンカー乗せ編みによる大きな伸び特性により、小さな力で靴下全体が大きく伸びるので、手足の筋力が弱った老人や病人にも容易に履くことができ、又脱ぐ時にも靴下を簡単に脱ぐことができる。
【００４２】
さらに、踵部３４には平編みを採用しているので、パイル編みのシンカー乗せ編みに起因する靴下外層１０と靴下内層２０との間のずれを平編みの特性によって阻止でき、靴下に皺がよって脱げるのを防止できる。
【００４３】
また、靴下外層１０の編み糸４０、４１を綿糸、靴下内層２０の編み糸４０、４１を絹糸としているので、靴下外層１０はその綿糸によって優れた吸湿性を、靴下内層２０はその絹糸によって優れた吸湿・吸熱性を示す。その結果、例えば夏期において、足が発汗すると、絹糸が汗を素早く吸い取り、絹糸の湿気は綿糸によって素早く吸い取られて周囲に放散され、しかも絹糸自体はさらさらとしているので、履いていて涼しい。
【００４４】
また、本例の靴下は二重構造をなし、その靴下外層１０と靴下内層２０との間には図４に示されるように、空気による断熱層が構成されるので、冬期には周囲の冷気が靴下を透過しようとしても靴下内外層１０、２０の間で遮断され、冷気が足に達することはなく、履いていて暖かい。
【００４５】
図５は第２の実施形態を示し、図１ないし図４と同一符号は同一又は相当部分を示す。本例では足甲部３２及び底部３３の寸法を長くし、土踏まずの半分以上が靴下で覆われるようにしている。
【００４６】
図６は第３の実施形態を示し、図１ないし図４と同一符号は同一又は相当部分を示す。本例では足甲部３２及び底部３３の寸法を第２の実施形態よりもさらに長くし、足先だけが靴下から突き出るようにしている。
【００４７】
図７は第４の実施形態を示し、図１ないし図４と同一符号は同一又は相当部分を示す。本例ではレッグ部３１を第１〜第３の実施形態に比して短くし、足首直上が靴下で覆われるようにしている。
【００４８】
図８は第５の実施形態を示し、図１ないし図４と同一符号は同一又は相当部分を示す。本例ではレッグ部３１を第１〜第３の実施形態に比して長くし、膝直下、膝又は膝直上まで靴下で覆われるようにしている。
【００４９】
上記の例ではパイル編みのシンカー乗せ編みを採用したが、これに代え、図９に示される平編みのシンカー乗せ編みを採用することもできる。平編みのシンカー乗せ編みは図９の(a)に示されるように、平編みにおける裏糸７１を表糸７０と同様にシンカー６０の頭６１に乗せて編む方法である。この場合には両糸７０、７１とも表糸となり、ゴム糸７３が裏糸の代わりをすることとなる。
【００５０】
従って、平編みのシンカー乗せ編みはパイル編みのシンカー乗せ編みに類似した編み組織となる。
【００５１】
図１０は第５の実施形態を示す。本例の靴下は爪先部３５、足甲部３２、底部３３、踵部３４、レッグ部３１及び履口部３０からなる側面略く字状をなし、連続した筒状に編成されて折り返されることにより靴下外層１０及び靴下内層２０の二重構造に構成されている。
【００５２】
靴下外層１０及び靴下内層２０の爪先部３５、足甲部３２、レッグ部３１及び履口部３０は表糸として１本ないし２本の５番ないし１５番の綿糸を用い、平編みのシンカー乗せ編みにて編成されるとともに、裏糸として１本の９０番ないし１００番のゴム糸を用いて１目ないし３目飛ばしで編み込まれている。
【００５３】
また、靴下外層１０及び靴下内層２０の踵部３４は表糸として１本ないし２本の５番ないし１５番の綿糸を用いて平編みにて編成されている。さらに、靴下外層１０及び靴下内層２０の爪先部３５は袋状に縫合されている。
【図面の簡単な説明】
【００５４】
【図１】本発明に係る靴下の好ましい実施形態を示す図である。
【図２】上記実施形態における靴下の一部を切り欠いた状態を示す図である。
【図３】上記実施形態の作用を説明するための図である。
【図４】パイル編みのシンカー乗せ編みを説明するための図である。
【図５】第２の実施形態を示す図である。
【図６】第３の実施形態を示す図である。
【図７】第３の実施形態を示す図である。
【図８】第４の実施形態を示す図である。
【図９】平編みのシンカー乗せ編みを説明するための図である。
【図１０】第５の実施形態を示す図である。
【図１１】一般的な靴下を説明するための図である。
【符号の説明】
【００５５】
１０      靴下外層                  ２０      靴下内層
３０      履口部                    ３１      レッグ部
３２      足甲部                    ３３      底部
３４      踵部
【図１】
2006283258.tif 000003
【図２】
2006283258.tif 000004
【図３】
2006283258.tif 000005
【図４】
2006283258.tif 000006
【図５】
2006283258.tif 000007
【図６】
2006283258.tif 000008
【図７】
2006283258.tif 000009
【図８】
2006283258.tif 000010
【図９】
2006283258.tif 000011
【図１０】
2006283258.tif 000012
【図１１】
2006283258.tif 000013